(57)【要約】一組の主トラックおよび一組の代替トラックを有する光ディスクが開示される。主トラックおよび代替トラックの少なくともいくつかは、関連している。ＣＤ−ＤＡ読取装置が光ディスクにアクセスするときには、それは主トラックだけの位置を検出する。これとは異なり、ＣＤ−ＲＯＭドライブなどのデータ読取装置がディスクにアクセスするときには、目次表（ＴＯＣ）の修正ゆえに、データ読取装置は、所与の主トラックにはアクセスできず、代わりに、その主トラックの関連する代替トラックに導かれる。この代替トラックには、関連する主トラックにおけるＣＤ−ＤＡデータと一致してもしなくてもよいオーディオ（ＣＤ−ＤＡ）データを含んでもよい。代替トラックのコピーを防止してもよく、および／または代替トラックには、デジタル権利管理の課題である圧縮（ＣＤ−ＤＡではない）データを含んでもよい。【特許請求の範囲】
【請求項１】
光ディスクであって、
少なくとも１つの主トラックと、
少なくとも１つの代替トラックと、
前記ディスクに記憶され、かつ、光ディスクデータ読取装置によってのみ読み取られ用いられるディスクアクセス情報であって、前記ディスクが前記光ディスクデータ読取装置によって読み取られるときに、前記主トラックまたは前記主トラックの少なくとも１つの位置検出を妨げ、かつ、前記読取装置を、代わりに前記代替トラックまたは関連する代替トラックに導くようなディスクアクセス情報と、
を含む光ディスク。
【請求項２】
複数の主トラックおよび複数の代替トラックがあり、前記主トラックの少なくとも１つが、関連する代替トラックを有している、請求項１に記載の光ディスク。
【請求項３】
前記主トラックまたは少なくとも１つの主トラックが、ＣＤオーディオプレーヤによって再生できるオーディオ情報を符号化しているオーディオトラックであり、前記代替トラックまたは少なくとも１つの代替トラックが、光ディスクデータ読取装置によって再生できるオーディオ情報を符号化しているデータトラックである、請求項２に記載の光ディスク。
【請求項４】
前記光ディスクの主トラック内で符号化された前記オーディオ情報が、ＣＤオーディオプレーヤによって再生されるとき、光ディスクデータ読取装置によって再生されるときの、関連する代替トラック内で符号化された前記オーディオ情報とほぼ一致する、請求項３に記載の光ディスク。
【請求項５】
前記光ディスクの主トラック内で符号化された前記オーディオ情報が、ＣＤオーディオプレーヤによって再生されるとき、光ディスクデータ読取装置によって再生されるときの、関連する代替トラック内で符号化された前記オーディオ情報と異なる長さかおよび／または異なるオーディオコンテンツである、請求項３に記載の光ディスク。
【請求項６】
前記主トラックのそれぞれが、関連する代替トラックを有している、請求項２、請求項３、請求項４または請求項５に記載の光ディスク。
【請求項７】
ｍ主トラックおよびｎ代替トラックがあり、前記ディスクアクセス情報が、光ディスクデータ読取装置に、前記光ディスクには全部でｍトラックのみがあると示す、請求項２〜６のいずれか一項に記載の光ディスク。
【請求項８】
前記ディスクアクセス情報が、ＣＤ−ＤＡプレーヤに、前記ディスクには全部でｍトラックのみがあるとさらに示し、前記ディスクアクセス情報が、ｍ＋ｎトラックのうち、ＣＤ−ＤＡプレーヤによってアクセス可能な前記ｍトラックとは異なるｍトラックを光ディスクデータ読取装置にアクセス可能にする、請求項７に記載の光ディスク。
【請求項９】
ｍ≧ｎであり、そして前記ディスクアクセス情報が、ＣＤオーディオプレーヤに、ｍ主トラックのみがあると示し、かつ、前記ディスクアクセス情報が、光ディスクデータ読取装置に、ｎ代替トラックおよび（ｍ−ｎ）主トラックがあると示す、請求項７または請求項８に記載の光ディスク。
【請求項１０】
前記ディスクアクセス情報が、前記光ディスクの目次表（ＴＯＣ）内に含まれ、前記ＴＯＣが、前記ディスクにおける前記トラックのそれぞれのためのトラック番号を示すトラック番号指標を有し、関連する代替トラックを有する前記主トラックまたは各主トラック用の前記トラック番号指標が、ゼロに設定される、請求項２〜９のいずれか一項に記載の光ディスク。
【請求項１１】
前記ディスクアクセス情報が目次表（ＴＯＣ）内に含まれ、前記ＴＯＣが、対応する主トラックがある前記代替トラックまたは各代替トラック用のエントリを含むが、このような各対応する主トラック用のエントリは有していない、請求項２〜９のいずれか一項に記載の光ディスク。
【請求項１２】
前記ディスクアクセス情報が目次表（ＴＯＣ）内に含まれ、前記ＴＯＣが、前記トラック用の開始時間を示すタイミングエントリを含み、前記主トラックの少なくとも１つの前記タイミングエントリにおける開始時間が、その対応する代替トラックの開始時間と取り替えられる、請求項２〜９のいずれか一項に記載の光ディスク。
【請求項１３】
前記ディスクアクセス情報が目次表（ＴＯＣ）内に含まれ、前記ＴＯＣが、前記光ディスクにおける前記各トラックのそれぞれためのトラック番号エントリを含み、そして前記主トラックまたは各主トラック用の、前記ＴＯＣにおける前記トラック番号エントリが、前記対応する代替トラックまたは前記各代替トラック用の前記それぞれのトラック番号エントリと交換される、請求項２〜９のいずれか一項に記載の光ディスク。
【請求項１４】
前記ＴＯＣが、前記ディスクにおけるトラックの総数を示す総トラック量エントリを含み、その総トラック量エントリが、前記ディスクにおける主トラックの総数のみを示す、請求項１０〜１３のいずれか一項に記載の光ディスク。
【請求項１５】
対応する主トラックを有する前記代替トラックまたは各代替トラック用の前記トラック番号指標が、前記対応する主トラックの前記トラック番号を示すように設定されている、請求項１０または請求項１１に記載の光ディスク。
【請求項１６】
暗号化された形態で前記ディスクに記憶された代用ディスクアクセス情報をさらに含み、前記代用ディスクアクセス情報が、復号化されたときには、光ディスクデータ読取装置によって、そのように復号化されたときには前記主トラックの位置検出を可能とするために使用できる、請求項１〜１５のいずれか一項に記載の光ディスク。
【請求項１７】
コンピュータプログラムコードをさらに含み、かかるコンピュータプログラムコードは、実行されたときには、前記光ディスクデータ読取装置を含むコンピュータに、前記代用ディスクアクセス情報にアクセスさせかつそれを復号化させ、次に、前記光ディスクデータ読取装置に、前記復号化されたディスクアクセス情報を用いて前記ディスクにおけるトラックの位置を検出させる、請求項１６に記載の光ディスク。
【請求項１８】
ひとたび前記代用ディスクアクセス情報が復号化されると、前記代用ディスクアクセス情報が、前記主トラックのみの位置検出を可能とする、請求項１６または請求項１７に記載の光ディスク。
【請求項１９】
前記代用ディスクアクセス情報が、代替トラックとして前記ディスクに記憶される、請求項１６に記載の光ディスク。
【請求項２０】
前記代替トラックの少なくとも１つが、圧縮されたかまたは暗号化されたデータを含む、請求項１〜１９のいずれか一項に記載の光ディスク。
【請求項２１】
前記圧縮データが、ＭＰ３などの規格に合わせて符号化されたオーディオ信号を表す、請求項２０に記載の光ディスク。
【請求項２２】
前記代替トラックまたは前記代替トラックの少なくとも１つが、デジタル権利管理技術を組み込んでいる、請求項１〜２１のいずれか一項に記載の光ディスク。
【請求項２３】
前記代替トラックまたは前記代替トラックの少なくとも１つが、コピー防止を組み込んでいる、請求項１〜２１のいずれか一項に記載の光ディスク。
【請求項２４】
光ディスクに書き込むためのデータを生成する方法であって、
前記光ディスク用のｍ主トラック（ｍ≧１）を表す主データを生成するステップと、
前記光ディスク用のｎ代替トラック（ｎ≧１）を表す代替データを生成するステップと、
前記光ディスク用の目次表（ＴＯＣ）を作成するステップであって、前記ＴＯＣが、その光ディスクには全部でｍトラックが書き込まれていると、光ディスクに書き込まれたときに光ディスクデータ読取装置に示すディスクアクセス制御情報を含む、ステップと、
を含む方法。
【請求項２５】
前記ディスクアクセス制御情報が、ＣＤ−ＤＡプレーヤに、全部でｍトラックがその光ディスクに書き込まれているとさらに示し、前記ディスクアクセス情報が、ｍ＋ｎトラックのうち、ＣＤ−ＤＡプレーヤによってアクセス可能な前記ｍトラックとは異なるｍトラックを光ディスクデータ読取装置にアクセス可能とさせる、請求項２４に記載の方法。
【請求項２６】
ＴＯＣを作成するステップが、
前記生成された主データおよび代替データを光ディスクに書き込むステップと、
このように書き込まれた、前記ｍ＋ｎトラック全てのための未修正ディスクアクセス情報を含む未修正ＴＯＣを含む前記データを、データ解析装置に読み戻すステップと、
修正ＴＯＣを作成するように、前記未修正ＴＯＣを編集するステップであって、前記修正ＴＯＣが、前記ｍ主トラックが存在することをＣＤオーディオプレーヤに示し、かつ、ｎ代替トラックとｍ−ｎ主トラックとが存在することを光ディスクデータ読取装置に示す前記ディスクアクセス制御情報を含む、ステップと、
を含む、請求項２４または請求項２５に記載の方法。
【請求項２７】
前記未修正ＴＯＣが複数のトラック番号指標をさらに含み、前記主トラックの少なくともいくつかの前記トラック番号指標を変更するように、前記未修正ＴＯＣを編集するステップをさらに含む、請求項２６に記載の方法。
【請求項２８】
前記未修正ＴＯＣを編集するステップが、変更すべき前記主トラックの前記トラック番号指標をゼロに設定するステップを含み、その結果、光ディスクデータ読取装置が、前記変更された主トラック番号指標の存在をもはや検出できない、請求項２７に記載の方法。
【請求項２９】
前記未修正ＴＯＣを編集するステップが、前記ｍ主トラックの少なくともいくつかに関連する前記ＴＯＣの部分を削除することを含む、請求項２７に記載の方法。
【請求項３０】
前記ｍ主トラックの少なくとも１つが対応する代替トラックを有し、前記未修正ＴＯＣを編集するステップが、前記未修正ＴＯＣにおいて、対応する主トラックを有する前記代替トラックそれぞれの前記トラック番号指標を、その対応する主トラックの前記トラック番号指標と取り替えることをさらに含む、請求項２７または請求項２８に記載の方法。
【請求項３１】
前記ＴＯＣを編集するステップが、前記主トラックの少なくとも１つの前記トラック番号指標を、対応する番号の代替トラック用のトラック番号指標と交換するステップを含む、請求項２７に記載の方法。
【請求項３２】
前記ＴＯＣを編集するステップが、前記主トラックまたは前記主トラックの少なくとも１つの開始時間を、関連する代替トラックの開始時間と取り替えるステップを含む、請求項２６に記載の方法。
【請求項３３】
前記未修正ＴＯＣが総トラック量エントリをさらに含み、前記未修正ＴＯＣを編集するステップが、前記総トラック量エントリにおけるトラックの総量を低減するステップであって、前記総トラック量エントリが、前記修正されたＴＯＣにおいて、存在する主トラックの数のみを示すようにする、ステップを含む、請求項２６〜３２のいずれか一項に記載の方法。
【請求項３４】
請求項２４〜３３のいずれか一項に記載の方法により生成されたデータが、書き込まれるかまたはスタンプされた光ディスクマスタ。
【請求項３５】
請求項３４に記載の光ディスクマスタから直接または間接に形成された光ディスク。
【請求項３６】
その上にデータが焼かれている光ディスクであって、前記データが、請求項２４〜３３のいずれか一項に記載の方法により生成される光ディスク。
【請求項３７】
少なくとも１つの主トラックおよび少なくとも１つの代替トラックを有する光ディスクへの、光ディスクデータ読取装置によるアクセスを制御する方法であって、前記ディスクが前記光ディスクデータ読取装置によって読み取られるときに、前記主トラックまたは前記主トラックの少なくとも１つの位置検出を妨げ、かつ、前記データ読取装置を、代わりに前記代替トラックまたは関連する代替トラックに導くことを含む方法。
【請求項３８】
前記ディスクがＣＤ−ＤＡプレーヤによって読み取られるときに、前記主トラックまたは各主トラックのみの位置検出を可能とすることをさらに含む、請求項３７に記載の方法。
【請求項３９】
前記ディスクがｍ主トラック（ｍ≧１）およびｎ代替トラック（ｎ≧１）を含み、前記ディスクが光ディスクデータ読取装置によってアクセスされたときに、前記ｎ代替トラックおよび前記主トラックのうちの（ｍ−ｎ）へのアクセスを可能とし、前記ディスクがＣＤ−ＤＡプレーヤによってアクセスされたときに、前記ｍ主トラックへのアクセスを可能とすることをさらに含む、請求項３７または請求項３８に記載の方法。
【発明の詳細な説明】
【技術分野】
【０００１】
本発明は、特に、たとえばパソコンにおけるＣＤ−ＲＯＭドライブなどの光ディスクデータ読取装置によって読み取られるときに、光ディスクへのアクセスを制御する方法に関する。本発明はまた、それへのアクセスが制御されている光ディスクに関する。
【背景技術】
【０００２】
全てのデジタルオーディオ・コンパクトディスク（ＣＤ−ＤＡ）は、国際規格（ＩＥＣ国際規格９０８）に合わせて製造されるが、この国際規格は、より一般的には、フィリップスＴＭ（ＰｈｉｌｉｐｓＴＭ）およびソニーＴＭ（ＳｏｎｙＴＭ）の「レッドブック」規格として当業者に知られている。これにより、ディスクの物理的寸法、ＥＦＭデータ符号化方式および用いられるリードソロモン（Ｒｅｅｄ−Ｓｏｌｏｍｏｎ）エラー訂正などの特徴に、厳格なパラメータが設定される。それとは異なり、コンパクトディスク・リードオンリメモリ（ＣＤ−ＲＯＭ）は、異なる規格（ＩＳＯ／ＩＥＣ国際規格１０１４９）に合わせて符号化されるが、この規格は、より一般的には、「イエローブック」規格として当業者に知られている。原則として、コンピュータのＣＤ−ＲＯＭドライブが、ＣＤ−ＲＯＭのデータを、（操作、実行またはコピーのために）コンピュータシステムにとって利用可能なものとし、しかしまた、ＣＤ−ＤＡのオーディオ信号データを読み取ることもできるように、イエローブック規格は、レッドブック規格を組み込むがそれを拡張する。
【０００３】
オリジナルの実質上完全なコピーを作成するデジタルコピーによって、結果として、ＣＤまたは他のデジタル情報担体の何百万という違法なコピーが作成されることになった。今度は、これが、著作権使用料の甚大な損失につながった。この無許可行為の相当な割合が家庭でのコピーに関連しているので、近年では、かなりの努力が、容易に利用可能な低コストデジタル媒体へのオーディオコンパクトディスクのコピーを防ぐ様々な方法の開発へ向けられてきた。
【０００４】
一般に、これらの開発は、処理された完全なディスクかまたは選択された処理済みのトラックを有するディスクのどちらかの作成を目指すものとして特徴付けることができ、それによって、これらのディスクは、ある一定のタイプのデータ読取装置に、うまくコピーすることが困難となった。デジタルオーディオコピー防止におけるこれらの試みは、通常、パソコン（ＰＣ）でのコピーまたは再生さえも防ぐことに的を絞ってきた。ほとんどの先行技術は、光ディスクデータ読取装置およびＣＤオーディオ装置が、光ディスクのデータにアクセスおよび再生する仕方における差異を利用している。
【０００５】
国際公開第９９／５７７２３Ａ号パンフレットには、ＣＤまたはガラスのマスターディスクに記録するために用いられるレーザビームの中断を含む方法が開示されているが、レーザビーム中断の期間、周波数および位置は、記録されるデータのコンテンツに依存する。
【０００６】
国際公開第００／７４０５３Ａ号パンフレットには、ＣＤの選択された制御データを誤りにする方法が開示されているが、このような誤ったデータは、一般に、オーディオプレーヤではアクセスまたは読み取りがされないが、データ読取装置では、ＣＤを再生不能にする。
【０００７】
国際公開第０１／６１６９５Ａ号パンフレットには、ＣＤのＰサブチャネルおよびＱサブチャネルにおけるタイミングおよび／またはナビゲーションデータを誤りまたは不正確にし、かくして、データ読取装置による、オーディオデータの抽出または読み取りを妨げる方法が、開示されている。
【０００８】
米国特許第６２０８５９８Ｂ号明細書に開示されている方法では、一連の選択されたオーディオデータサンプルが誤ったデータによって置き換えられ、そしてＰチャネルの対応する部分が変更されて、誤ったデータサンプルが、オーディオプレーヤのデジタル−アナログ変換器へ渡るのを防ぎ、代わりに補間された値が用いられる。しかしながら、コピーディスクは、一般に、修正されたＰチャネルを備えていないので、誤ったデータが再生され、可聴ゆがみを引き起こす。
【０００９】
国際公開第０１／１５０２８Ａ号パンフレットおよび国際公開第０１／４１１３０Ａ号パンフレットに開示されている方法では、選択されたオーディオ信号データシンボルが、ひどいエラー値で上書きされ、これらのデータシンボルに関連した訂正パリティシンボルが、次に、エラー値を含む符号語に訂正不可能なエラーを生じるような仕方で位置されかつ上書きされ、その結果、ＣＤプレーヤは、補間エラー秘匿を適用して、エラーの出力を防ぐ。
【発明の開示】
【発明が解決しようとする課題】
【００１０】
上記のシステムはどれも、全てのタイプのオーディオプレーヤに対して１００％の適合性を保証することを試みるために、適用するコピー防止プロセスの強さ（およびそれによる効果）を制限すること、またはある一定のタイプの再生装置に対する適合性を意図的に制限すること、という制約を必然的にこうむる。このような使用上の制約は、商業的には、魅力のないものと思われる。
【００１１】
本発明の目的は、コンテンツアクセス制御、特に、限定するわけではないが、光ディスクに記録されたオーディオマテリアルへのアクセスを制御するための方法を提供することである。本発明のさらなる目的は、そのデータがアクセス制御された光ディスクを、提供することである。
【課題を解決するための手段】
【００１２】
本発明の第１の態様によると、少なくとも１つの主トラックと、少なくとも１つの代替トラックと、ディスクに記憶され、かつ光ディスクデータ読取装置によってのみ読み取られ用いられるディスクアクセス情報と、を含む光ディスクが提供され、ディスクアクセス情報は、ディスクが光ディスクデータ読取装置によって読み取られるときに、代替トラックの位置検出のみを可能にする。
【００１３】
本発明が取るアプローチは、異なるタイプの再生装置がディスクのトラックを位置検出する（locate）場合の異なるやり方に依拠している。光ディスクデータ読取装置とは、ＣＤ−Ｒドライブ等などの、ディスクにおけるデータのランダムな読み取りを可能とする任意の装置を意味している。このような装置は、通常は、パソコンの一部となっている。光ディスクデータ読取装置は、ハイファイまたはステレオプレーヤにあるＣＤ−ＤＡプレーヤなどと対比させることができるが、ＣＤ−ＤＡプレーヤは、デジタルオーディオデータの読み取りに対して、よりシーケンシャルなアプローチを用い、そしてたとえば、圧縮されたオーディオデータは読み取ることができない。
【００１４】
複数の主トラックおよび複数の代替トラックがあって、主トラックの少なくとも１つが、関連する代替トラックを有しているのが好ましい。ディスクにおけるメイン／主トラックの１つ、いくつかまたは全てに、関連する代替／第２のトラックを設けてもよい。
【００１５】
たとえば、７つが主トラックで３つが代替トラックである１０のトラックを備えた光ディスクを考えてみる。また、３つの代替トラックが、それぞれ、対応する主トラックを有していると考えてみる。この場合には、３つの代替トラックには、再生されたときに、３つの対応する主トラックのデータとほぼ同一であるデータを含んでもよい。しかしながら、重要なこととして、ＣＤ−ＤＡプレーヤは、主トラック（そして、好ましくは主トラックのみ）にアクセスできるが、光ディスクデータ読取装置は、代わりに、代替トラックの相対物を備えていない４つの主トラック、および３つの代替トラックにアクセスできる。
【００１６】
一般的にいえば、光ディスクがｍ主トラックおよびｎ代替トラック（全部でｍ＋ｎ）を備えている場合に、ディスクアクセス情報は、光ディスクデータ読取装置へは、ディスクには全部で、ｎ代替トラックおよび（ｍ−ｎ）主トラックで構成されたｍトラックのみがあると、示すのが好ましい。もちろんこの場合に、ディスクアクセス情報は、ＣＤ−ＤＡプレーヤへは、ここではｍ主トラックであるけれども、同様にｍトラックのみがあると、示すのが好ましい。
【００１７】
このことの利点は、たとえば、先行技術の光ディスクでは最も無断使用される恐れのある主トラックが、代替トラックとともに記録されるときに、最も明らかとなる。その場合、（ＣＤ−ＤＡプレーヤによってアクセスされる）主トラックは、通常、ＣＤ−ＤＡプレーヤで再生することができる。しかしながら、光ディスクデータ読取装置がディスクにアクセスしたときに、それは、７つの主トラックのうち、（たとえば、これらのトラックの中で著作権保持者にとって関心がより小さい可能性がある）４つのみと、３つの代替トラックとの位置を検出することができる。
【００１８】
好適な実施形態において、代替トラックには、標準の非圧縮デジタルオーディオ（ＣＤ−ＤＡ）フォーマットデータを含んでもよい。光ディスクデータ読取装置は、３つの代替トラック（この例では）も同様に再生できてもよい（その結果、全ての７つのアクセス可能なトラックに関して、パソコンのオーディオプレーヤの出力が、ＣＤ−ＤＡプレーヤによって再生されたときの７つの主トラックの出力とほぼ同じになる）けれども、この場合には、代替トラックのコピーを防止するか、さもなければ代替トラックを変更して、データ抽出を通して行われるコピー、および必要に応じて、光ディスクデータ読取装置と通じたＣＤ書き込み装置を続いて用いることによるコピーを防ぐことができる。
【００１９】
一実施形態において、公知の技術を用いて、代替トラックのコピーを防止してもよい。かくして、上記の例示的なディスクアクセス制御構成によって、ＣＤ−ＤＡプレーヤとの適合性に何も問題なく、全ての７主トラックの再生が潜在的に提供されるが、しかし光ディスクデータ読取装置により再生されるときには、同じトラックのうちいくつか（または実際には全て）のコピー防止を、代替トラックを用いることによって可能にしてもよい。しかしながら、代替トラックが、対応する主トラックと同じオーディオ情報を、必ずしも符号化する必要がないことを理解すべきである。用途次第で、関連する代替トラックは、対応する主トラックよりも短いか、同じ長さかまたはより長くてもよい。たとえば、代替トラックのコピーを防止するのではなく、音楽のある部分を表す主トラックを、関連する代替トラックを形成する、音楽のそのある部分からの短い抜粋に関連付けてもよい。次に、ＣＤ−ＤＡは、音楽の全ての部分を再生する（しかし、それが、少なくとも別の光ディスクにデジタルコピーされる危険はない）が、一方で、（ユーザにとって）明らかに同じトラックが、光ディスクデータ読取装置によってアクセスされるときには、抜粋のみが再生される。
【００２０】
追加または代替の特徴として、用途次第で、代替トラックには、「このディスクは、アクセスが制御されています」などの短いメッセージを保持してもよい。このようなメッセージは、単独で含んでもよいし、または主トラックに含まれるものと同じコンテンツの数秒間に続くか、もしくは対応する主トラックに含まれるものと同じコンテンツの数秒間に重畳してもよい。このようなメッセージは、関係のある情報を伝達するために必要と感じられる場合には、繰り返してもよい。
【００２１】
さらなる追加または代替の特徴として、関連する代替トラックは、一方のチャネル（左または右）に、対応する主トラックに含まれるものと同じコンテンツのモノラルバージョンを含み、そして他方のチャネル（右または左）に、上記で説明した口頭メッセージを含んでもよい。それによって、このような代替トラックは、光ディスクデータ読取装置で再生されたときには、必要な口頭メッセージを再生し、またそのコンテンツで作られる任意のコピーには、この同じフォームでコピーされるが、しかしながら、光ディスクデータ読取装置に関連する任意のディスク再生ソフトウェアに設けられている左／右バランス制御の適切な調整によって、（メッセージなしに）コンテンツのモノラルバージョンの再生を可能とする。代替として、関連する代替トラックは、対応する主トラックに含まれるものと同じだが、２つのチャネル（左および右）の逆位相に口頭メッセージを追加したコンテンツを含み、それによって、任意のステレオ再生にはメッセージを含み、モノラル再生には、メッセージを含まないようにしてもよい。
【００２２】
さらなる代替または追加の特徴として、関連する代替トラックには、対応する主トラックに含まれるものと同じだが、質が劣化したコンテンツを含み、そのコンテンツが、たとえば、職場で聞くにはやはり適しているが、高忠実度（high fidelity）オーディオ設備などのより重要な環境では聞くのに適さないようにしてもよい。このような劣化には、たとえば、圧縮アーティファクト（compressionartefacts）の導入および／または低レベルランダムノイズの付加を含んでもよい。必要に応じて、このようなノイズまたは他の干渉を、２つのチャネルの逆位相に追加し、それによって、トラックの任意のステレオ再生またはコピーには追加ノイズを含むが、トラックコンテンツのモノラル再生には、ノイズも干渉も含まないようにすることが可能である。
【００２３】
さらなる代替または追加の特徴として、代替トラックにおける、圧縮オーディオファイルの使用を含んでもよい。たとえば、代替トラックのオーディオファイルは、ＭＰＥＧ２／レベル３（ＭＰ３）、オッグボルビスＴＭ（Ｏｇｇ  ＶｏｒｂｉｓＴＭ）、ストリーミングオーディオ（たとえば、リアルオーディオＴＭ（Ｒｅａｌ  ＡｕｄｉｏＴＭ）もしくはウィンドウズＴＭメディア（ＷｉｎｄｏｗｓＴＭＭｅｄｉａ））、またはデータ読取装置で一般にアクセス可能な他の形態のオーディオデータ圧縮方式を用いて圧縮してもよい。
【００２４】
このような圧縮トラックには、ディスクの作成時に権利所有者によって予め設定されたある一定の条件に従ってデータ読取装置によるアクセスを可能とする、デジタル権利管理技術を取り込んでもよい。このような条件により、たとえば、制限された数の機会だけ、もしくはその特定のデータ読取装置によって最初にアクセスされた後、制限された日数の間だけ、トラックの再生を可能とするか、またはデータ読取装置のハードディスクにトラックをアップロードすることを可能とするが、そのとき、トラックをその特定のデータ読取装置にバインドして、そのトラックの使用可能なコピーが配布されるのを防いでもよい。
【００２５】
代替トラックに標準ＣＤ−ＤＡフォーマットオーディオデータ（圧縮オーディオではなく）が含まれるとき、また特に、代替トラックが主トラックよりも短いときには、公知の技術を用い、第２のセッションにおいてディスクに記録できる追加圧縮オーディオデータを含むのが望ましい可能性がある。第２のセッションに記録される追加圧縮オーディオファイルの使用は、前述および次の方法と結びつけたときに、コピーが防止されたＣＤオーディオトラックを圧縮オーディオファイルに結びつけた公知の技術に勝る著しい改善を提供する。
【００２６】
本発明の上記の利点は、ディスクの目次表（Table of Contents）（ＴＯＣ）におけるトラックデータを識別および編集するための方法から、少なくとも部分的にはもたらされる。したがって、本発明の一実施形態では、主トラックおよび第２のトラック両方のためのＴＯＣエントリのポイントフィールドにおける情報、およびまた、全体としてディスクに関連するある一定の他のＴＯＣデータフィールドにおける情報を編集することを許容する。
【００２７】
好ましくは、ディスクアクセス情報が光ディスクの目次表（ＴＯＣ）内に含まれ、ＴＯＣがディスクにおける各トラックのトラック番号を示すトラック番号指標（track number indicator）を有し、関連する代替トラックを有する主トラックまたは各主トラックのためのトラック番号指標が、好ましくはゼロに設定される。
【００２８】
さらなる代替において、主トラックまたは各主トラック用のＴＯＣにおけるエントリまたは複数のエントリは、対応する代替トラックまたは各代替トラック用のそれぞれのエントリまたは複数のエントリと取り替えられる。
【００２９】
本発明のさらなる好適な特徴においては、ディスクアクセス情報を修正し、対応する代替トラックがある主トラックの少なくとも１つの開始時間を、その代替トラックの開始時間に変更するようにする。主トラックに関連するディスクアクセス情報におけるエントリは、必要に応じて削除してもよい。この処置の利点として、関係のある主トラックに関連したデータが、ディスクアクセス情報（たとえばＴＯＣ）から除去され、かくして、データ読取装置でこのような主トラックにアクセスしようと専念している者によって、容易に再生成されることはありえない。
【００３０】
対応する主トラックを有する代替トラックまたは各代替トラック用のトラック番号指標は、対応する主トラックのトラック番号を示すように設定するのが好ましい。
【００３１】
各場合において、ＣＤ−ＤＡプレーヤに示される、ディスクのトラック数は、主トラックのみの数に等しいことが望ましい。そしてＣＤ−ＤＡプレーヤは、任意の代替トラックを無視する。
【００３２】
好適な一実施形態において、光ディスクは、暗号化された形態で、１つ以上の代替トラック内に記憶された代用ディスクアクセス情報を含んでもよく、代用ディスクアクセス情報は、復号化されたときに、光ディスクデータ読取装置によって読み取り可能であり、それによって、代用ディスクアクセス情報は、そのように復号化されたときには主トラックの位置検出を可能とするために使用される。その場合には、光ディスクがまたさらなるトラックを含み、このトラックが、今度は、ソフトウェアコードを含み、このソフトウェアコードが、光ディスクデータ読取装置を制御するコンピュータによって実行されるときに、代用ディスクアクセス情報の復号化をもたらすのが好ましい。ソフトウェアコードは、たとえば、ディスクをコンピュータに挿入すると、自動的に実行されてもよい。コンピュータによるプロンプティングに基づき、正しいパスワード等がユーザによって入力されるという条件で、代用ディスクアクセス情報を次に復号化して、ディスクに記憶される「デフォルト」ディスクアクセス情報の代わりに用いてもよい。この「デフォルト」ディスクアクセス情報は、他の場合にはディスクアクセスを制御するために用いられる。たとえば、代用ディスクアクセス情報は、主トラックの一部または全てへのアクセスを可能としてもよい。復号化の仕方は、本発明の一部を形成しない。しかしながら、たとえば、ディスクのソフトウェアコードにより復号化を開始するために用いられるパスワードは、ユーザの購入の対象としてもよく、それにより、ユーザは、事実上、主トラックへの無制限のアクセス（おそらく、コピーのライセンスを含む）のために支払いをする。ユーザが、入力要求されたときに、有効なパスワードを入力しない場合には、ユーザがディスクにアクセスすることを妨げる必要は全くないが、そのときは、元（デフォルト）のディスクアクセス情報が引き続き使用され、その結果、ユーザは、主トラックに対して、アクセスを制限されるか、または全くアクセスできないことが理解されるであろう。
【００３３】
代用ディスクアクセス情報は、必ずしも、代替トラックの１つとして含む必要はなく、代わりに上記のように、（公知の技術を用いて）第２のセッションにおいてディスクに書き込んでもよい。
【００３４】
本発明の第２の態様によると、光ディスクに書き込むためのデータを生成する方法が提供され、この方法には、光ディスク用のｍ主トラック（ｍ≧１）を表す主データを生成することと、光ディスク用のｎ代替トラック（ｎ≧１）を表す代替データを生成することと、光ディスク用目次表（ＴＯＣ）を作成することとが含まれ、ＴＯＣは、光ディスクに書き込まれたときに、その光ディスクには全部でｍトラックが書き込まれていることを、光ディスクデータ読取装置に示すディスクアクセス制御情報を含む。ディスクアクセス制御情報は、また、ディスクにはｍトラックのみがあると、ＣＤ−ＤＡプレーヤに示すのが好ましい。ＣＤ−ＤＡプレーヤに存在すると示したｍトラックは、光ディスクデータ読取装置に存在すると示したｍトラックと異なるのが好ましい。たとえば、光ディスクデータ読取装置は、ディスクアクセス制御情報から、ｎ代替トラックおよび（ｍ−ｎ）主トラックがあると判定してもよく、一方で、ＣＤ−ＤＡプレーヤは、ｍ主トラックが存在すると単純に判定してもよい。
【００３５】
ディスクアクセス制御情報は、また、ディスクにはｍトラックのみがあると、ＣＤ−ＤＡプレーヤに示すのが好ましい。ＣＤ−ＤＡプレーヤに存在すると示したｍトラックは、光ディスクデータ読取装置に存在すると示したｍトラックと異なるのが好ましい。たとえば、光ディスクデータ読取装置は、ディスクアクセス制御情報から、ｎ代替トラックおよび（ｍ−ｎ）主トラックがあると判定してもよく、一方で、ＣＤ−ＤＡプレーヤは、ｍ主トラックが存在すると単純に判定してもよい。
【００３６】
本発明はまた、前述の技術に従ってデータが書き込まれるかまたはスタンプされる光ディスクマスタにも及ぶ。今度は、この光ディスクマスタを用いて、直接にかまたは間接に、１つ以上の光ディスクを作成してもよい。
【００３７】
代替の態様において、本発明は、前述の技術に従って生成されたデータが焼かれている光ディスクに及ぶ。
【００３８】
本発明のさらなる態様によれば、少なくとも１つの主トラックおよび少なくとも１つの代替トラックを有する光ディスクへの、光ディスクデータ読取装置によるアクセスを制御する方法であって、前記ディスクが前記光ディスクデータ読取装置によって読み取られるときには、前記主トラックまたは前記主トラックの少なくとも１つの位置検出を妨げるステップを含む。
【００３９】
本発明は、多数の方法で実施してもよく、これらのいくつかを、ここで、添付の図面に関連して、例証のみを目的として説明する。
【発明を実施するための最良の形態】
【００４０】
Ｐ、Ｑ、Ｒ、Ｓ、Ｔ、Ｕ、ＶおよびＷのラベルを付けられたいくつかのサブコードチャネルを保持するために、ＣＤ−ＤＡ（オーディオＣＤ）上のデータストリームの一部が取っておかれることが、当業者には理解されるであろう。ＰおよびＱサブチャネルのみが、ディスク用制御データを含む。Ｑサブチャネルは、４つのモードで動作することができ、このうち３つのみ（モード１、２および３）が、アクティブデータを保持する。Ｑサブチャネルがモード１で動作しているときには、それは、ディスクリードイン領域、プログラム領域およびディスクリードアウト領域用のデータを保持する。
【００４１】
リードイン領域におけるＱサブチャネルデータコンテンツは、ディスクの他の場所のデータとは異なる。モード１において、リードインデータには、ディスク用の目次表（ＴＯＣ）が含まれる。ＴＯＣには、とりわけ、オーディオトラック数および各トラックの開始時間を示すデータが記憶される。
【００４２】
ここで図１を参照すると、編集された（ＴＯＣ）を作成するための一連の動作のプロセスフロー図が示されている。
【００４３】
以後「主」トラックと呼ぶ、ＣＤの第１のトラックの各アレイが、ステップ１０１において、ＰＣのハードディスクに最初に作成される（assembled）。次に、以後「代替トラック」と呼ぶ、さらなるトラックセットが、ＰＣのハードディスクに、対応する順序で作成される（ステップ１０２）。次に、ＣＤ−Ｒディスクが、容易に利用可能なＣＤ−Ｒバーニングソフトウェアを用いて、ステップ１０３で焼かれるが、このソフトウェアは、当業者にはよく知られており、本発明の一部を形成するものではない。全ての主トラック（対応する第２のトラックを有していない可能性のある任意のものを含む）が、必要なプログラム順序で最初にディスクに記録されるように、トラックが、ＣＤ−Ｒバーニングソフトウェアによって作成されること、が重要であることに、ここで留意すべきである。次に、この完成した一連の主トラックに、適切な順序で、第２のトラックが続く。次に、ステップ１０４において、ＣＤ−ＲがＰＣに読み戻され、ステップ１０５において、ＴＯＣが解析される。次に、ＴＯＣがステップ１０６で編集され、次にこの編集されたＴＯＣを用い、ステップ１０７でマスタディスクイメージを作成する。
【００４４】
この一連の行動を取るのは、最初のＴＯＣデータは、選択したディスクバーニングソフトウェアによって、このバーニングソフトウェアがディスクに作成したトラックの状態と正確に一致するように作成されるためである。このデータはその後に編集される。しかしながら、全てのトラック、ディスクリードイン、トラック間のポーズ（pause）およびディスクリードアウトの正確な継続時間が知られていることを条件として、編集されたＴＯＣを直接に生成することが同様に可能であることに留意すべきである。
【００４５】
図２に、それぞれ約３０秒の継続時間の４つのオーディオトラックを含むサンプルディスク用の未編集ＴＯＣデータを示す。ポイントフィールドが、エントリ０におけるように、０ｘａ０に設定されたときには、そのエントリ０の分フィールドＰｍｉｎ２０１は、ディスクにおける第１のトラックの番号を示す。ポイントフィールドが、エントリ１におけるように、０ｘａ１に設定されたときには、エントリ１の分フィールドＰｍｉｎ２０２は、ディスクにおける最後のトラックの番号を示す。エントリ３、４、５および６は、各プログラムトラックに関連するデータを含み、そしてこの例では、各エントリのポイントフィールド２０３（０ｘｎｎ形態において、ｎｎは、１６進法フォーマットにおける関連するトラック番号である）は、トラック番号を示す。角括弧［］の、番号を付けられたエントリ（０、１、２、３４等）は、参照の利便のための単なるヘッディングであり、これらのヘッディングは、影響を及ぼすべきではないコメントとして、ＣＤバーニングソフトウェアによって扱われる。
【００４６】
図３に、本発明による第１の方法を、サンプルディスクに適用した結果としてもたらされる編集されたＴＯＣデータを示す。図２の実施形態において、サンプルディスクには４つのトラック、すなわち、それぞれ約３０秒の継続時間の２つの主トラックと、やはりそれぞれ約３０秒の継続時間の、代替トラックと呼ばれる２つのトラックとが含まれる。第１に、エントリ１の分フィールドＰｍｉｎにおいて３０１で示すように、ディスクのトラック数は、主トラックのみの数（すなわち、この場合には２）と一致するように修正される。第２に、対応する代替トラックがある各主トラック用のポイントフィールド３０２におけるデータが次に０（ゼロ）と読めるように変更され、次に、最後に、各対応する代替トラックのポイントフィールドにおけるデータが、関係する主トラックのトラック番号を有するように編集され、その結果、この例では、トラック３（エントリ５）用のポイントフィールド３０３が０ｘ０１に変更され、トラック４（エントリ６）用のポイントフィールド３０４が０ｘ０２に変更される。
【００４７】
図３に関連して説明したように編集されたＴＯＣは、図１に関連して上記で説明したように、光ディスクに書き戻してもよい。このような編集されたＴＯＣを含む光ディスクは、次のようにアクセス制御される。
【００４８】
図３に従って編集されたＴＯＣを備えたディスクにアクセスを試みるＣＤ−ＤＡは、ディスクには２つのトラックだけがあると知らされる。これは、ＣＤ−ＤＡプレーヤが、エントリ１のＰｍｉｎフィールド３０１における情報を用いて、ディスクのトラック数ｍを判定するからである。それで、最初のｍトラックが読み取られる。その結果、ｍ番目のトラックの後の任意のトラックは、ＣＤ−ＤＡプレーヤによって無視される。かくして、この例では、エントリ１のＰｍｉｎポイントを２に設定することによって、ＣＤ−ＤＡプレーヤは、主トラックの後の２つの「余分な」代替トラックを無視する。
【００４９】
これとは異なり、光ディスクデータ読取装置が、このように修正されたＴＯＣを備えたディスクにアクセスするときには、エントリ０のＰｍｉｎフィールド２０１における情報を用いて、ディスクの第１のトラックの番号を判定し、次に、同様にエントリ１のＰｍｉｎ３０１の情報を用いながら、番号を付けられたトラックエントリのＰＴｉｍｅフィールドのポイントフィールドで、その番号を捜して、関係あるトラックの、ディスク上の位置を判定する。かくして、光ディスクデータ読取装置は、いつも２つの代替トラックに導かれ、２つの主トラックの存在には気がつかない。
【００５０】
図３に関連して説明した方法は、主トラックと代替トラックの数が等しい（説明したような）場合だけでなく、一般に適用可能である。ある一定の実施形態において、たとえば、著作権保持者にとって、そのコピーが重大な関心とならない多数のトラックがあるときには、主トラックよりも少ない代替トラックを含むことが望ましい可能性がある。たとえば、ディスクには全部で１０トラックがあり、そのうち７つは主トラック、３つは代替トラックとしてもよい。つまり、主トラックのうち３つには対応する代替トラックがあり、主トラックのうち４つには対応する代替トラックがない。その場合には、ＣＤ−ＤＡは、７つの主トラックの位置を検出し、光ディスクデータ読取装置は、７つの主トラックのうち４つと３つの代替トラックの位置を検出する。
【００５１】
したがって、このようなディスクには、全部でｍ主トラック＋ｎ代替トラックがあるけれども、異なる装置（たとえば、ＣＤ−ＤＡプレーヤおよびＣＤ−ＲＯＭ装置）が両方とも、好適な実施形態において、同じ数のトラック（ＣＤ−ＤＡプレーヤの場合にはｍ主トラック、光ディスクデータ読取装置の場合には、（ｍ−ｎ）＋ｎ（＝ｍ）の主トラックおよび代替トラック）にアクセスする。
【００５２】
上記で説明した技術は、単一の装置（ＣＤ−ＤＡプレーヤまたはＣＤ−ＲＯＭ装置）でいつも使用されるよりも、全部で（ｍ＋ｎ）の、より多くのトラックがあることを必要とするが、特に、本発明の利点を考えれば、ディスク容量における実際の減縮は、重大な不利益とは思われない。実際に、ほとんどのオーディオＣＤは、その最大記憶容量（ＣＤ−ＤＡフォーマットにおいて、約７０〜８０分のオーディオデータに等しい）までは、けして用いていない。したがって、全ての主トラックが、ＣＤ−ＤＡフォーマットの代替トラック（多分、コピー防止の何らかの形態を備えている）を有し、かつ、これらの代替トラックが、それぞれ、その対応する主トラックと等しいかまたはほぼ等しい長さであっても、ディスクスペースは、通常、問題ではない。多くの場合、代替トラックは、実際上、主トラックよりもかなり短くてもよい（多分、対応する主トラックの抜粋を表すＣＤ−ＤＡオーディオかまたは上記で説明した口頭のコピー防止警告を含む）。さらに、説明した実施形態において、ＣＤ−ＤＡプレーヤではなく、光ディスクデータ読取装置だけによっていつもアクセスされる代替トラックは、ムービングピクチャーエキスパートグループ（ＭＰＥＧ）２／レベル３（ＭＰ３）、オッグボルビスＴＭ（Ｏｇｇ  ＶｏｒｂｉｓＴＭ）、ストリーミングオーディオ（たとえば、リアルオーディオＴＭ（Ｒｅａｌ  ＡｕｄｉｏＴＭ）もしくはウィンドウズＴＭメディア（ＷｉｎｄｏｗｓＴＭ  Ｍｅｄｉａ））、またはデータ読取装置で一般にアクセス可能な、何か他の形態のオーディオデータ圧縮方式などの公知のオーディオ圧縮技術を用いて、代替トラックのサイズを低減することができる。
【００５３】
代替トラックが、標準ＣＤ−ＤＡフォーマットオーディオデータ（圧縮オーディオではなく）を含む場合には、公知の技術を用いて第２のセッションにおいてディスクに記録可能な、追加の圧縮オーディオデータを含むのが望ましい。前述および以下の方法と組み合わせて、第２のセッションに記録された追加の圧縮オーディオファイルを用いることによって、コピー防止ＣＤオーディオトラックを圧縮オーディオファイルと組み合わせる公知の技術に勝る大幅な改善が提供される。ＣＤ−ＤＡプレーヤは、後者のタイプのディスクを再生しようと試みるときには、必然的に、処理されコピーを防止されたトラックを読み取らなければならない。今度はこれによって、上記で述べたいくつかの先行技術構成ではそうであるように、アーティファクトを再生する結果となるのも、もっともなことである。これとは異なり、本発明の実施形態により形成されたディスクを再生するＣＤ−ＤＡプレーヤは、処理された（主）トラックを再生する必要がなく、その結果、アーティファクトを再生する可能性は存在しない。しかしながら、光ディスクデータ読取装置が、本発明によるディスクを再生するときには、必要に応じて、第２のセッション記録された追加の圧縮オーディオファイルとともに、代替トラックに導かれる。代替トラックの音声メッセージは、データ読取装置ユーザがディスクコンテンツを聞きたい場合には、圧縮ファイルを再生するように、ユーザに指示する。所望の場合には、圧縮ファイル用のソフトウェアプレーヤを、圧縮ファイルとともにディスクにバンドルすることができ、そしてこのソフトウェアプレーヤは、ディスクがデータ読取装置に挿入されたときには、自動再生するように設定することができる。このようなディスクのコピーが作られた場合には、コピーされたディスクに現れる唯一のコンテンツは、代替トラック、および、ソフトウェアプレーヤが存在する場合にはそれをともなった代替圧縮ファイルなど、（用いられるコピーソフトウェアの特徴および設定に依存した）任意のデータコンテンツであろう。
【００５４】
図４に、本発明を具体化する第２の方法を、同じ未編集サンプルディスク（図２）に適用した場合に、その結果としてもたらされる編集されたＴＯＣデータを示す。第１に、ＴＯＣエントリの数は、ディスクの第２のトラック数だけ低減される。２つの第２のトラックを備えたこの例において、エントリの数（図４において、４０１で示される）は、７から５に低減される。第２に、ディスクのトラック数は、エントリ１の分フィールドＰｍｉｎ４０２で示すように、主トラックのみの数（すなわち２）と一致するように修正される。第３に、対応する代替トラックがある各主トラック用のエントリは、完全に削除され（この場合には、エントリ３および４）、最後に、各対応する代替トラックのポイントフィールドにおけるデータが、関係する主トラックのトラック番号を有するように次に編集され、その結果、この例では、トラック３用のポイントフィールド４０３（エントリ５）は、０ｘ０１に変更され、トラック４用のポイントフィールド４０４（エントリ６）は、０ｘ０２に変更される。この第２の方法の利点として、関係のある主トラックに関連したデータが、ＴＯＣから除去され、かくして、データ読取装置でこのような主トラックへアクセスしようと専念している者によって、容易に再生成されることはありえない。
【００５５】
ここで図５を参照すると、本発明の一実施形態による第３の方法が示されている。第１に、ディスクのトラック数が、エントリ１の分フィールドＰｍｉｎ５０１で示されているように、主トラックのみの数に、この場合には、２に一致するように修正される。第２に、対応する代替トラックがある各主トラック用のＰＴｉｍｅフィールドにおけるデータは、その対応する代替トラックの関係する開始時間を有するように変更され、その結果、この例では、トラック１（エントリ３）用のＰｍｉｎ、ＰｓｅｃおよびＰｆｒａｍｅｓフィールド５０２は、それぞれ、１、２および７１に変更され、一方で、トラック２（エントリ４）用のＰｍｉｎ、ＰｓｅｃおよびＰｆｒａｍｅｓフィールド５０３は、それぞれ、１、３３および３２に変更される。こうしたならば、エントリ５および６を削除する必要はないが、所望の場合には、削除してもよい。もちろん、これら２つのエントリを除去した場合には、その結果として、図４に関連して上記で説明した第２の方法に関して行ったように、ＴＯＣエントリの総数を訂正することが必要である。その第２の方法と同様に、この第３の方法の利点として、関係のある主トラックに関連したデータが、ＴＯＣから除去され、かくして、データ読取装置でこのような主トラックへアクセスしようと専念している者によって、容易に再生成されることはありえない。
【００５６】
本発明を具体化する第５の方法において、代替トラック用の完成したＴＯＣエントリが、主トラックのそれらと取り替えられ、そして、代替トラックが主トラックのトラック番号を有し、主トラックが代替トラックのトラック番号を有するように、トラック番号が交換される。ディスクのトラック数は、エントリ１の分フィールドＰｍｉｎにおいて示すように、主トラックのみの数と一致するように再び修正される。
【００５７】
上記で説明した方法は、代替トラックを暗号化すること、および／または代替トラックにアクセスするために、パスワードの入力を要求することにより、必要に応じて高度化してもよい。さらなる一実施形態において、代替トラックの１つは、別の代用ＴＯＣの暗号化されたバージョンとすることができ、この暗号化されたバージョンには、もしかすると料金の支払と引き換えに、復号鍵へのアクセスを与えられたユーザに対してのみ、アクセス可能とすることができる。次に、このような代用ＴＯＣへアクセスすることにより、データ読取装置は、主トラックの一部、いくらか多くまたは全てにアクセスすることが可能とされる。その場合には、光ディスクデータ読取装置が次にその（代用）ＴＯＣを代わりに使用できるように、暗号化された代用ＴＯＣを復号化し抽出するための、ディスクに記録された小さな追加データトラックが、通常必要である。代替トラックの１つとして代用ＴＯＣを含むのではなく、さらなる圧縮オーディオファイルの追加に関連して上記で説明したように、公知の技術を用い、代わりに第２のセッションにおいて代用ＴＯＣをディスクに書き込んでもよいことが理解されるであろう。必要に応じて、この代用ＴＯＣへのアクセスを可能とする任意の実行可能コードを、同様に、第２のセッションに記録されるデータファイルとして含んでもよい。
【００５８】
より大きな保証のために、当業者に公知の追加的な電子セキュリティ機能および高度化もまた、システムに組み込んでもよい。
【００５９】
説明した方法が、必ずしも、コピー防止またはデジタル権利管理技術を代替トラックへ適用することを必要とするのではないことが、理解されるであろう。本発明を具体化する方法は、「スタンドアロン」モードで（すなわち、単なるディスクアクセス制御手順として）動作でき、またはデジタルオーディオコピー防止の既存タイプへの拡張として組み込むことができる。代替トラックの数、長さおよび特質を変更することによって、多種多様な異なる応用例が思い描かれ、これらの中には、限定されたユーザグループにより適したものもあれば、また一般大衆に関しての使用により適したものもある。どのタイプのコピー防止方法を用いてよいのか、どの追加のセキュリティ機能を組み込んでよいのか、およびＣＤバーニングソフトウェアのどの手段を用いてよいのかという点には、依存していない。
【００６０】
本発明の好適な実施形態を本明細書において説明してきたが、本発明がこれらに限定されず、説明した実施形態の変更が、当業者には明らかとなるであろうことを理解すべきである。
【図面の簡単な説明】
【００６１】
【図１】本発明の一実施形態による、編集されたＴＯＣおよびアクセス制御されたディスクを作成するための一連の動作を示すプロセスフロー図である。
【図２】元の未修正ディスク用の目次表（ＴＯＣ）を示す。
【図３】本発明の第１の実施形態による、アクセス制御されたディスク用の編集された目次表（ＴＯＣ）を示す。
【図４】本発明の第２の実施形態による、アクセス制御されたディスク用の編集された目次表（ＴＯＣ）を示す。
【図５】本発明の第３の実施形態による、アクセス制御されたディスク用の編集された目次表（ＴＯＣ）を示す。
【図１】
2005532655.tif 000002
【図２】
2005532655.tif 000003
【図３】
2005532655.tif 000004
【図４】
2005532655.tif 000005
【図５】
2005532655.tif 000006
【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
光ディスクであって、
少なくとも１つの主トラックと、
少なくとも１つの代替トラックと、
前記ディスクに記憶され、かつ、光ディスクデータ読取装置によってのみ読み取られ用いられるディスクデータアクセス情報であって、前記ディスクが前記光ディスクデータ読取装置によって読み取られるときに、前記主トラックまたは前記主トラックの少なくとも１つの位置検出を妨げ、かつ、前記光ディスク読取装置を、代わりに前記代替トラックまたは関連する代替トラックに導くようなディスクデータアクセス情報と、
を含む光ディスク。
【請求項２】
複数の主トラックおよび複数の代替トラックがあり、前記主トラックの少なくとも１つが、関連する代替トラックを有している、請求項１に記載の光ディスク。
【請求項３】
前記主トラックまたは少なくとも１つの主トラックが、ＣＤオーディオプレーヤによって再生できるオーディオ情報を符号化しているオーディオトラックであり、前記代替トラックまたは少なくとも１つの代替トラックが、光ディスクデータ読取装置によって再生できるオーディオ情報を符号化しているデータトラックである、請求項２に記載の光ディスク。
【請求項４】
前記光ディスクの主トラック内で符号化された前記オーディオ情報が、ＣＤオーディオプレーヤによって再生されるとき、光ディスクデータ読取装置によって再生されるときの、関連する代替トラック内で符号化された前記オーディオ情報とほぼ一致する、請求項３に記載の光ディスク。
【請求項５】
前記光ディスクの主トラック内で符号化された前記オーディオ情報が、ＣＤオーディオプレーヤによって再生されるとき、光ディスクデータ読取装置によって再生されるときの、関連する代替トラック内で符号化された前記オーディオ情報と異なる長さかおよび／または異なるオーディオコンテンツである、請求項３に記載の光ディスク。
【請求項６】
前記主トラックのそれぞれが、関連する代替トラックを有している、請求項２に記載の光ディスク。
【請求項７】
前記光ディスクデータ読み取り装置のみによって読み取られる前記ディスクデータアクセス情報を含む目次表（ＴＯＣ）をさらに含む、請求項２に記載の光ディスク。
【請求項８】
ｍ主トラックおよびｎ代替トラックがあり、前記ディスクアクセス情報が、光ディスクデータ読取装置に、前記光ディスクには全部でｍトラックのみがあると示す、請求項７に記載の光ディスク。
【請求項９】
前記ＴＯＣが、ＣＤオーディオプレーヤによって読み取り可能なディスクオーディオアクセス情報をさらに含む、請求項７に記載の光ディスク。
【請求項１０】
前記ディスクオーディオアクセス情報が、ＣＤオーディオプレーヤに、前記ディスクには全部でｍトラックのみがあると示し、前記ディスクデータアクセス情報が、前記ｍ主トラックおよび前記ｎ代替トラックのうち第１のｍを、光ディスクデータ読み取り装置にアクセス可能とし、前記ディスクオーディオアクセス情報が、前記ｍ主トラックおよび前記ｎ代替トラックのうち第２の異なるｍを、ＣＤオーディオプレーヤによってアクセス可能とする、請求項９に記載の光ディスク。
【請求項１１】
ｍ≧ｎであり、そして前記ディスクオーディオアクセス情報が、ＣＤオーディオプレーヤに、ｍ主トラックのみがあると示し、かつ、前記ディスクデータアクセス情報が、光ディスクデータ読取装置に、ｎ代替トラックおよび（ｍ−ｎ）主トラックがあると示す、請求項９に記載の光ディスク。
【請求項１２】
前記ディスクアクセス情報が前記光ディスクの目次表（ＴＯＣ）内に含まれ、前記ＴＯＣが、前記ディスクにおける前記トラックのそれぞれのためのトラック番号を示すトラック番号指標を有し、関連する代替トラックを有する前記主トラックまたは各主トラック用の前記トラック番号指標が、ゼロに設定される、請求項２に記載の光ディスク。
【請求項１３】
前記ディスクアクセス情報が目次表（ＴＯＣ）内に含まれ、前記ＴＯＣが、対応する主トラックがある前記代替トラックまたは各代替トラック用のエントリを含むが、このような各対応する主トラック用のエントリは有していない、請求項２に記載の光ディスク。
【請求項１４】
前記ディスクアクセス情報が目次表（ＴＯＣ）内に含まれ、前記ＴＯＣが、前記トラック用の開始時間を示すタイミングエントリを含み、前記主トラックの少なくとも１つの前記タイミングエントリにおける開始時間が、その対応する代替トラックの開始時間と取り替えられる、請求項２に記載の光ディスク。
【請求項１５】
前記ディスクアクセス情報が目次表（ＴＯＣ）内に含まれ、前記ＴＯＣが、前記光ディスクにおける前記各トラックのそれぞれためのトラック番号エントリを含み、そして前記主トラックまたは各主トラック用の、前記ＴＯＣにおける前記トラック番号エントリが、前記対応する代替トラックまたは前記各代替トラック用の前記それぞれのトラック番号エントリと交換される、請求項２に記載の光ディスク。
【請求項１６】
前記ＴＯＣが、前記ディスクにおけるトラックの総数を示す総トラック量エントリを含み、その総トラック量エントリが、前記ディスクにおける主トラックの総数のみを示す、請求項１０に記載の光ディスク。
【請求項１７】
対応する主トラックを有する前記代替トラックまたは各代替トラック用の前記トラック番号指標が、前記対応する主トラックの前記トラック番号を示すように設定されている、請求項１２に記載の光ディスク。
【請求項１８】
暗号化された形態で前記ディスクに記憶された代用ディスクアクセス情報をさらに含み、前記代用ディスクアクセス情報が、復号化されたときには、光ディスクデータ読取装置によって、そのように復号化されたときには前記主トラックの位置検出を可能とするために使用できる、請求項１に記載の光ディスク。
【請求項１９】
コンピュータプログラムコードをさらに含み、かかるコンピュータプログラムコードは、実行されたときには、前記光ディスクデータ読取装置を含むコンピュータに、前記代用ディスクアクセス情報にアクセスさせかつそれを復号化させ、次に、前記光ディスクデータ読取装置に、前記復号化されたディスクアクセス情報を用いて前記ディスクにおけるトラックの位置を検出させる、請求項１８に記載の光ディスク。
【請求項２０】
ひとたび前記代用ディスクアクセス情報が復号化されると、前記代用ディスクアクセス情報が、前記主トラックのみの位置検出を可能とする、請求項１８に記載の光ディスク。
【請求項２１】
前記代用ディスクアクセス情報が、代替トラックとして前記ディスクに記憶される、請求項１８に記載の光ディスク。
【請求項２２】
前記代替トラックの少なくとも１つが、圧縮されたかまたは暗号化されたデータを含む、請求項１に記載の光ディスク。
【請求項２３】
前記圧縮データが、ＭＰ３などの規格に合わせて符号化されたオーディオ信号を表す、請求項２２に記載の光ディスク。
【請求項２４】
前記代替トラックまたは前記代替トラックの少なくとも１つが、デジタル権利管理技術を組み込んでいる、請求項１に記載の光ディスク。
【請求項２５】
前記代替トラックまたは前記代替トラックの少なくとも１つが、コピー防止を組み込んでいる、請求項１に記載の光ディスク。
【請求項２６】
光ディスクに書き込むためのデータを生成する方法であって、
前記光ディスク用のｍ主トラック（ｍ≧１）を表す主データを生成するステップと、
前記光ディスク用のｎ代替トラック（ｎ≧１）を表す代替データを生成するステップと、
前記光ディスク用の目次表（ＴＯＣ）を作成するステップであって、前記ＴＯＣが、その光ディスクには全部でｍトラックが書き込まれていると、光ディスクに書き込まれたときに光ディスクデータ読取装置に示すディスクアクセス制御情報を含む、ステップと、
を含む方法。
【請求項２７】
前記ディスクアクセス制御情報が、ＣＤ−ＤＡプレーヤに、全部でｍトラックがその光ディスクに書き込まれているとさらに示し、前記ディスクアクセス情報が、ｍ＋ｎトラックのうち、ＣＤ−ＤＡプレーヤによってアクセス可能な前記ｍトラックとは異なるｍトラックを光ディスクデータ読取装置にアクセス可能とさせる、請求項２６に記載の方法。
【請求項２８】
ＴＯＣを作成するステップが、
前記生成された主データおよび代替データを光ディスクに書き込むステップと、
このように書き込まれた、前記ｍ＋ｎトラック全てのための未修正ディスクアクセス情報を含む未修正ＴＯＣを含む前記データを、データ解析装置に読み戻すステップと、
修正ＴＯＣを作成するように、前記未修正ＴＯＣを編集するステップであって、前記修正ＴＯＣが、前記ｍ主トラックが存在することをＣＤオーディオプレーヤに示し、かつ、ｎ代替トラックとｍ−ｎ主トラックとが存在することを光ディスクデータ読取装置に示す前記ディスクアクセス制御情報を含む、ステップと、
を含む、請求項２６に記載の方法。
【請求項２９】
前記未修正ＴＯＣが複数のトラック番号指標をさらに含み、前記主トラックの少なくともいくつかの前記トラック番号指標を変更するように、前記未修正ＴＯＣを編集するステップをさらに含む、請求項２８に記載の方法。
【請求項３０】
前記未修正ＴＯＣを編集するステップが、変更すべき前記主トラックの前記トラック番号指標をゼロに設定するステップを含み、その結果、光ディスクデータ読取装置が、前記変更された主トラック番号指標の存在をもはや検出できない、請求項２９に記載の方法。
【請求項３１】
前記未修正ＴＯＣを編集するステップが、前記ｍ主トラックの少なくともいくつかに関連する前記ＴＯＣの部分を削除するステップを含む、請求項２９に記載の方法。
【請求項３２】
前記ｍ主トラックの少なくとも１つが対応する代替トラックを有し、前記未修正ＴＯＣを編集するステップが、前記未修正ＴＯＣにおいて、対応する主トラックを有する前記代替トラックそれぞれの前記トラック番号指標を、その対応する主トラックの前記トラック番号指標と取り替えることをさらに含む、請求項２９に記載の方法。
【請求項３３】
前記ＴＯＣを編集するステップが、前記主トラックの少なくとも１つの前記トラック番号指標を、対応する番号の代替トラック用のトラック番号指標と交換するステップを含む、請求項２９に記載の方法。
【請求項３４】
前記ＴＯＣを編集するステップが、前記主トラックまたは前記主トラックの少なくとも１つの開始時間を、関連する代替トラックの開始時間と取り替えるステップを含む、請求項２８に記載の方法。
【請求項３５】
前記未修正ＴＯＣが総トラック量エントリをさらに含み、前記未修正ＴＯＣを編集するステップが、前記総トラック量エントリにおけるトラックの総量を低減するステップであって、前記総トラック量エントリが、前記修正されたＴＯＣにおいて、存在する主トラックの数のみを示すようにする、ステップを含む、請求項２８に記載の方法。
【請求項３６】
請求項２４に記載の方法により生成されたデータが、書き込まれるかまたはスタンプされた光ディスクマスタ。
【請求項３７】
請求項３６に記載の光ディスクマスタから直接または間接に形成された光ディスク。
【請求項３８】
その上にデータが焼かれている光ディスクであって、前記データが、請求項２６のいずれかに記載の方法により生成される、光ディスク。
【請求項３９】
少なくとも１つの主トラックおよび少なくとも１つの代替トラックを有する光ディスクへの、光ディスクデータ読取装置によるアクセスを制御する方法であって、前記ディスクが前記光ディスクデータ読取装置によって読み取られるときに、前記主トラックまたは前記主トラックの少なくとも１つの位置検出を妨げ、かつ、前記データ読取装置を、代わりに前記代替トラックまたは関連する代替トラックに導くことを含む方法。
【請求項４０】
前記ディスクがＣＤ−ＤＡプレーヤによって読み取られるときに、前記主トラックまたは各主トラックのみの位置検出を可能とすることをさらに含む、請求項３９に記載の方法。
【請求項４１】
前記ディスクがｍ主トラック（ｍ≧１）およびｎ代替トラック（ｎ≧１）を含み、前記ディスクが光ディスクデータ読取装置によってアクセスされたときに、前記ｎ代替トラックおよび前記主トラックのうちの（ｍ−ｎ）へのアクセスを可能とし、前記ディスクがＣＤ−ＤＡプレーヤによってアクセスされたときに、前記ｍ主トラックへのアクセスを可能とすることをさらに含む、請求項３９に記載の方法。
【手続補正２】
【補正対象書類名】明細書
【補正対象項目名】全文
【補正方法】変更
【補正の内容】
【発明の詳細な説明】
【技術分野】
【０００１】
本発明は、特に、たとえばパソコンにおけるＣＤ−ＲＯＭドライブなどの光ディスクデータ読取装置によって読み取られるときに、光ディスクへのアクセスを制御する方法に関する。本発明はまた、それへのアクセスが制御されている光ディスクに関する。
【背景技術】
【０００２】
全てのデジタルオーディオ・コンパクトディスク（ＣＤ−ＤＡ）は、国際規格（ＩＥＣ国際規格９０８）に合わせて製造されるが、この国際規格は、より一般的には、フィリップスTM（ＰｈｉｌｉｐｓTM）およびソニーTM（ＳｏｎｙTM）の「レッドブック」規格として当業者に知られている。これにより、ディスクの物理的寸法、ＥＦＭデータ符号化方式および用いられるリードソロモン（Ｒｅｅｄ−Ｓｏｌｏｍｏｎ）エラー訂正などの特徴に、厳格なパラメータが設定される。それとは異なり、コンパクトディスク・リードオンリメモリ（ＣＤ−ＲＯＭ）は、異なる規格（ＩＳＯ／ＩＥＣ国際規格１０１４９）に合わせて符号化されるが、この規格は、より一般的には、「イエローブック」規格として当業者に知られている。原則として、コンピュータのＣＤ−ＲＯＭドライブが、ＣＤ−ＲＯＭのデータを、（操作、実行またはコピーのために）コンピュータシステムにとって利用可能なものとし、しかしまた、ＣＤ−ＤＡのオーディオ信号データを読み取ることもできるように、イエローブック規格は、レッドブック規格を組み込むがそれを拡張する。
【０００３】
オリジナルの実質上完全なコピーを作成するデジタルコピーによって、結果として、ＣＤまたは他のデジタル情報担体の何百万という違法なコピーが作成されることになった。今度は、これが、著作権使用料の甚大な損失につながった。この無許可行為の相当な割合が家庭でのコピーに関連しているので、近年では、かなりの努力が、容易に利用可能な低コストデジタル媒体へのオーディオコンパクトディスクのコピーを防ぐ様々な方法の開発へ向けられてきた。
【０００４】
一般に、これらの開発は、処理された完全なディスクかまたは選択された処理済みのトラックを有するディスクのどちらかの作成を目指すものとして特徴付けることができ、それによって、これらのディスクは、ある一定のタイプのデータ読取装置に、うまくコピーすることが困難となった。デジタルオーディオコピー防止におけるこれらの試みは、通常、パソコン（ＰＣ）でのコピーまたは再生さえも防ぐことに的を絞ってきた。ほとんどの先行技術は、光ディスクデータ読取装置およびＣＤオーディオ装置が、光ディスクのデータにアクセスおよび再生する仕方における差異を利用している。
【０００５】
国際公開第９９／５７７２３Ａ号パンフレットには、ＣＤまたはガラスのマスターディスクに記録するために用いられるレーザビームの中断を含む方法が開示されているが、レーザビーム中断の期間、頻度および位置は、記録されるデータのコンテンツに依存する。
【０００６】
国際公開第００／７４０５３Ａ号パンフレットには、ＣＤの選択された制御データを誤りにする方法が開示されているが、このような誤ったデータは、一般に、オーディオプレーヤではアクセスまたは読み取りがされないが、データ読取装置では、ＣＤを再生不能にする。
【０００７】
国際公開第０１／６１６９５Ａ号パンフレットには、ＣＤのＰサブチャネルおよびＱサブチャネルにおけるタイミングおよび／またはナビゲーションデータを誤りまたは不正確にし、かくして、データ読取装置による、オーディオデータの抽出または読み取りを妨げる方法が、開示されている。
【０００８】
米国特許第６２０８５９８Ｂ号明細書に開示されている方法では、一連の選択されたオーディオデータサンプルが誤ったデータによって置き換えられ、そしてＰチャネルの対応する部分が変更されて、誤ったデータサンプルが、オーディオプレーヤのデジタル−アナログ変換器へ渡るのを防ぎ、代わりに補間された値が用いられる。しかしながら、コピーディスクは、一般に、修正されたＰチャネルを備えていないので、誤ったデータが再生され、可聴ゆがみを引き起こす。
【０００９】
国際公開第０１／１５０２８Ａ号パンフレットおよび国際公開第０１／４１１３０Ａ号パンフレットに開示されている方法では、選択されたオーディオ信号データシンボルが、ひどいエラー値で上書きされ、これらのデータシンボルに関連した訂正パリティシンボルが、次に、エラー値を含む符号語（codewords）に訂正不可能なエラーを生じるような仕方で位置されかつ上書きされ、その結果、ＣＤプレーヤは、補間エラー秘匿を適用して、エラーの出力を防ぐ。
【発明の開示】
【発明が解決しようとする課題】
【００１０】
上記のシステムはどれも、全てのタイプのオーディオプレーヤに対して１００％の適合性を保証することを試みるために、適用するコピー防止プロセスの強さ（およびそれによる効果）を制限すること、またはある一定のタイプの再生装置に対する適合性を意図的に制限すること、という制約を必然的にこうむる。このような使用上の制約は、商業的には、魅力のないものと思われる。
【００１１】
本発明の目的は、コンテンツアクセス制御、特に、限定するわけではないが、光ディスクに記録されたオーディオマテリアルへのアクセスを制御するための方法を提供することである。本発明のさらなる目的は、そのデータがアクセス制御された光ディスクを提供することである。
【課題を解決するための手段】
【００１２】
本発明の第１の態様によると、請求項１に記載の光ディスクが提供される。
【００１３】
本発明が取るアプローチは、異なるタイプの再生装置がディスクのトラックを位置検出する（locate）場合の異なるやり方に依拠している。光ディスクデータ読取装置とは、ＣＤ−Ｒドライブ等などの、ディスクにおけるデータのランダムな読み取りを可能とする任意の装置を意味している。このような装置は、通常は、パソコンの一部となっている。光ディスクデータ読取装置は、ハイファイまたはステレオプレーヤにあるＣＤ−ＤＡプレーヤなどと対比させることができるが、ＣＤ−ＤＡプレーヤは、デジタルオーディオデータの読み取りに対して、よりシーケンシャルなアプローチを用い、そしてたとえば、圧縮されたオーディオデータは読み取ることができない。
【００１４】
複数の主トラックおよび複数の代替トラックがあって、主トラックの少なくとも１つが、関連する代替トラックを有しているのが好ましい。ディスクにおけるメイン／主トラックの１つ、いくつかまたは全てに、関連する代替／第２のトラックを設けてもよい。
【００１５】
たとえば、７つが主トラックで３つが代替トラックである１０のトラックを備えた光ディスクを考えてみる。また、３つの代替トラックが、それぞれ、対応する主トラックを有していると考えてみる。この場合には、３つの代替トラックには、再生されたときに、３つの対応する主トラックのデータとほぼ同一であるデータを含んでもよい。しかしながら、重要なこととして、ＣＤ−ＤＡプレーヤは、主トラック（そして、好ましくは主トラックのみ）にアクセスできるが、光ディスクデータ読取装置は、代わりに、代替トラックの相対物を備えていない４つの主トラック、および３つの代替トラックにアクセスできる。
【００１６】
一般的にいえば、光ディスクがｍ主トラックおよびｎ代替トラック（ここで、ｍ≧１かつｎ≧１であり、全部でｍ＋ｎになるようになっている）を備えている場合に、ディスクアクセス情報は、光ディスクデータ読取装置に対して、ディスクには全部で、ｎ代替トラックおよび（ｍ−ｎ）主トラックで構成されたｍトラックのみがあると、示すのが好ましい。もちろんこの場合に、ディスクアクセス情報は、ＣＤ−ＤＡプレーヤに対して、同様にｍトラックのみがあると示すのが好ましい（ただし、ここではｍ主トラックである）。
【００１７】
このことの利点は、たとえば、先行技術の光ディスクでは最も無断使用される恐れのある主トラックが、代替トラックとともに記録されるときに、最も明らかとなる。その場合、（ＣＤ−ＤＡプレーヤによってアクセスされる）主トラックは、通常、ＣＤ−ＤＡプレーヤで再生することができる。しかしながら、光ディスクデータ読取装置がディスクにアクセスしたときに、それは、７つの主トラックのうち、（たとえば、これらのトラックの中で著作権保持者にとって関心がより小さい可能性がある）４つのみと、３つの代替トラックとの位置を検出することができる。
【００１８】
好適な実施形態において、代替トラックには、標準の非圧縮デジタルオーディオ（ＣＤ−ＤＡ）フォーマットデータを含んでもよい。光ディスクデータ読取装置は、３つの代替トラック（この例では）も同様に再生できてもよい（その結果、全ての７つのアクセス可能なトラックに関して、パソコンのオーディオプレーヤの出力が、ＣＤ−ＤＡプレーヤによって再生されたときの７つの主トラックの出力とほぼ同じになる）けれども、この場合には、代替トラックのコピーを防止するか、さもなければ代替トラックを変更して、データ抽出を通して行われるコピー、および必要に応じて、光ディスクデータ読取装置と通じたＣＤ書き込み装置を続いて用いることによるコピーを防ぐことができる。
【００１９】
一実施形態において、公知の技術を用いて、代替トラックのコピーを防止してもよい。かくして、上記の例示的なディスクアクセス制御構成によって、ＣＤ−ＤＡプレーヤとの適合性に何も問題なく、全ての７主トラックの再生が潜在的に提供されるが、しかし光ディスクデータ読取装置により再生されるときには、同じトラックのうちいくつか（または実際には全て）のコピー防止を、代替トラックを用いることによって可能にしてもよい。しかしながら、代替トラックが、対応する主トラックと同じオーディオ情報を、必ずしも符号化する必要がないことを理解すべきである。用途次第で、関連する代替トラックは、対応する主トラックよりも短いか、同じ長さかまたはより長くてもよい。たとえば、代替トラックのコピーを防止するのではなく、音楽のある部分を表す主トラックを、関連する代替トラックを形成する、音楽のそのある部分からの短い抜粋に関連付けてもよい。次に、ＣＤ−ＤＡは、音楽の全ての部分を再生する（しかし、それが、少なくとも別の光ディスクにデジタルコピーされる危険はない）が、一方で、（ユーザにとって）明らかに同じトラックが、光ディスクデータ読取装置によってアクセスされるときには、抜粋のみが再生される。
【００２０】
追加または代替の特徴として、用途次第で、代替トラックには、「このディスクは、アクセスが制御されています」などの短いメッセージを保持してもよい。このようなメッセージは、単独で含んでもよいし、または主トラックに含まれるものと同じコンテンツの数秒間に続くか、もしくは対応する主トラックに含まれるものと同じコンテンツの数秒間に重畳してもよい。このようなメッセージは、関係のある情報を伝達するために必要と感じられる場合には、繰り返してもよい。
【００２１】
さらなる追加または代替の特徴として、関連する代替トラックは、一方のチャネル（左または右）に、対応する主トラックに含まれるのものと同じコンテンツのモノラルバージョンを含み、そして他方のチャネル（右または左）に、上記で説明した口頭メッセージを含んでもよい。それによって、このような代替トラックは、光ディスクデータ読取装置で再生されたときには、必要な口頭メッセージを再生し、またそのコンテンツで作られる任意のコピーには、この同じフォームでコピーされるが、しかしながら、光ディスクデータ読取装置に関連する任意のディスク再生ソフトウェアに設けられている左／右バランス制御の適切な調整によって、（メッセージなしに）コンテンツのモノラルバージョンの再生を可能とする。代替として、関連する代替トラックは、対応する主トラックに含まれるのものと同じだが、２つのチャネル（左および右）の逆位相に口頭メッセージを追加したコンテンツを含み、それによって、任意のステレオ再生にはメッセージを含み、モノラル再生には、メッセージを含まないようにしてもよい。
【００２２】
さらなる代替または追加の特徴として、関連する代替トラックには、対応する主トラックに含まれるものと同じだが、質が劣化したコンテンツを含み、そのコンテンツが、たとえば、職場で聞くにはやはり適しているが、高忠実度（high fidelity）オーディオ設備などのより重要な環境では聞くのに適さないようにしてもよい。このような劣化には、たとえば、圧縮アーティファクト（compression artefacts）の導入および／または低レベルランダムノイズの付加を含んでもよい。必要に応じて、このようなノイズまたは他の干渉を、２つのチャネルの逆位相に追加し、それによって、トラックの任意のステレオ再生またはコピーには追加ノイズを含むが、トラックコンテンツのモノラル再生には、ノイズも干渉も含まないようにすることが可能である。
【００２３】
さらなる代替または追加の特徴として、代替トラックにおける、圧縮オーディオファイルの使用を含んでもよい。たとえば、代替トラックのオーディオファイルは、ＭＰＥＧ２／レベル３（ＭＰ３）、オッグボルビスTM（Ｏｇｇ  ＶｏｒｂｉｓTM）、ストリーミングオーディオ（たとえば、リアルオーディオTM（Ｒｅａｌ  ＡｕｄｉｏTM）もしくはウィンドウズ（登録商標）メディア（Ｗｉｎｄｏｗｓ（登録商標）Ｍｅｄｉａ））、またはデータ読取装置で一般にアクセス可能な他の形態のオーディオデータ圧縮方式を用いて圧縮してもよい。
【００２４】
このような圧縮トラックには、ディスクの作成時に権利所有者によって予め設定されたある一定の条件に従ってデータ読取装置によるアクセスを可能とする、デジタル権利管理技術を取り込んでもよい。このような条件により、たとえば、制限された数の機会だけ、もしくはその特定のデータ読取装置によって最初にアクセスされた後、制限された日数の間だけ、トラックの再生を可能とするか、またはデータ読取装置のハードディスクにトラックをアップロードすることを可能とするが、そのとき、トラックをその特定のデータ読取装置にバインドして、そのトラックの使用可能なコピーが配布されるのを防いでもよい。
【００２５】
代替トラックに標準ＣＤ−ＤＡフォーマットオーディオデータ（圧縮オーディオではなく）が含まれるとき、また特に、代替トラックが主トラックよりも短いときには、公知の技術を用い、第２のセッションにおいてディスクに記録できる追加圧縮オーディオデータを含むのが望ましい可能性がある。第２のセッションに記録される追加圧縮オーディオファイルの使用は、前述および次の方法と結びつけたときに、コピーが防止されたＣＤオーディオトラックを圧縮オーディオファイルに結びつけた公知の技術に勝る著しい改善を提供する。
【００２６】
本発明の上記の利点は、ディスクの目次表（Table of Contents）（ＴＯＣ）におけるトラックデータを識別および編集するための方法から、少なくとも部分的にはもたらされる。したがって、本発明の一実施形態では、主トラックおよび第２のトラック両方のためのＴＯＣエントリのポイントフィールドにおける情報、およびまた、全体としてディスクに関連するある一定の他のＴＯＣデータフィールドにおける情報を編集することを許容する。
【００２７】
好ましくは、ディスクアクセス情報が光ディスクの目次表（ＴＯＣ）内に含まれ、ＴＯＣがディスクにおける各トラックのトラック番号を示すトラック番号指標（track number indicator）を有し、関連する代替トラックを有する主トラックまたは各主トラックのためのトラック番号指標が、好ましくはゼロに設定される。
【００２８】
さらなる代替において、主トラックまたは各主トラック用のＴＯＣにおけるエントリまたは複数のエントリは、対応する代替トラックまたは各代替トラック用のそれぞれのエントリまたは複数のエントリと取り替えられる。
【００２９】
本発明のさらなる好適な特徴においては、ディスクアクセス情報を修正し、対応する代替トラックがある主トラックの少なくとも１つの開始時間を、その代替トラックの開始時間に変更するようにする。主トラックに関連するディスクアクセス情報におけるエントリは、必要に応じて削除してもよい。この処置の利点として、関係のある主トラックに関連したデータが、ディスクアクセス情報（たとえばＴＯＣ）から除去され、かくして、データ読取装置でこのような主トラックにアクセスしようと専念している者によって、容易に再生成されることはありえない。
【００３０】
対応する主トラックを有する代替トラックまたは各代替トラック用のトラック番号指標は、対応する主トラックのトラック番号を示すように設定するのが好ましい。
【００３１】
各場合において、ＣＤ−ＤＡプレーヤに示される、ディスクのトラック数は、主トラックのみの数に等しいことが望ましい。そしてＣＤ−ＤＡプレーヤは、任意の代替トラックを無視する。
【００３２】
好適な一実施形態において、光ディスクは、暗号化された形態で、１つ以上の代替トラック内に記憶された代用ディスクアクセス情報を含んでもよく、代用ディスクアクセス情報は、復号化されたときに、光ディスクデータ読取装置によって読み取り可能であり、それによって、代用ディスクアクセス情報は、そのように復号化されたときには主トラックの位置検出を可能とするために使用される。その場合には、光ディスクがまたさらなるトラックを含み、このトラックが、今度は、ソフトウェアコードを含み、このソフトウェアコードが、光ディスクデータ読取装置を制御するコンピュータによって実行されるときに、代用ディスクアクセス情報の復号化をもたらすのが好ましい。ソフトウェアコードは、たとえば、ディスクをコンピュータに挿入すると、自動的に実行されてもよい。コンピュータによるプロンプティングに基づき、正しいパスワード等がユーザによって入力されるという条件で、代用ディスクアクセス情報を次に復号化して、ディスクに記憶される「デフォルト」ディスクアクセス情報の代わりに用いてもよい。この「デフォルト」ディスクアクセス情報は、他の場合にはディスクアクセスを制御するために用いられる。たとえば、代用ディスクアクセス情報は、主トラックの一部または全てへのアクセスを可能としてもよい。復号化の仕方は、本発明の一部を形成しない。しかしながら、たとえば、ディスクのソフトウェアコードにより復号化を開始するために用いられるパスワードは、ユーザの購入の対象としてもよく、それにより、ユーザは、事実上、主トラックへの無制限のアクセス（おそらく、コピーのライセンスを含む）のために支払いをする。ユーザが、入力要求されたときに、有効なパスワードを入力しない場合には、ユーザがディスクにアクセスすることを妨げる必要は全くないが、そのときは、元（デフォルト）のディスクアクセス情報が引き続き使用され、その結果、ユーザは、主トラックに対して、アクセスを制限されるか、または全くアクセスできないことが理解されるであろう。
【００３３】
代用ディスクアクセス情報は、必ずしも、代替トラックの１つとして含む必要はなく、代わりに上記のように、（公知の技術を用いて）第２のセッションにおいてディスクに書き込んでもよい。
【００３４】
本発明の第２の態様によると、請求項２６に記載の、光ディスクに書き込むためのデータを生成する方法が提供される。
【００３５】
ディスクアクセス制御情報は、また、ディスクにはｍトラックのみがあると、ＣＤ−ＤＡプレーヤに示すのが好ましい。ＣＤ−ＤＡプレーヤに存在すると示したｍトラックは、光ディスクデータ読取装置に存在すると示したｍトラックと異なるのが好ましい。たとえば、光ディスクデータ読取装置は、ディスクアクセス制御情報から、ｎ代替トラックおよび（ｍ−ｎ）主トラックがあると判定してもよく、一方で、ＣＤ−ＤＡプレーヤは、ｍ主トラックが存在すると単純に判定してもよい。
【００３６】
本発明はまた、前述の技術に従ってデータが書き込まれるかまたはスタンプされる光ディスクマスタにも及ぶ。今度は、この光ディスクマスタを用いて、直接にかまたは間接に、１つ以上の光ディスクを作成してもよい。
【００３７】
代替の態様において、本発明は、前述の技術に従って生成されたデータが焼かれている光ディスクに及ぶ。
【００３８】
本発明のさらなる態様により、請求項３９に記載の光ディスクへの、光ディスクデータ読取装置によるアクセスを制御する方法が提供される。
【００３９】
本発明は、多数の方法で実施してもよく、これらのいくつかを、ここで、添付の図面に関連して、例証のみを目的として説明する。
【発明を実施するための最良の形態】
【００４０】
Ｐ、Ｑ、Ｒ、Ｓ、Ｔ、Ｕ、ＶおよびＷのラベルを付けられたいくつかのサブコードチャネルを保持するために、ＣＤ−ＤＡ（オーディオＣＤ）上のデータストリームの一部が取っておかれることが、当業者には理解されるであろう。ＰおよびＱサブチャネルのみが、ディスク用制御データを含む。Ｑサブチャネルは、４つのモードで動作することができ、このうち３つのみ（モード１、２および３）が、アクティブデータを保持する。Ｑサブチャネルがモード１で動作しているときには、それは、ディスクリードイン領域、プログラム領域およびディスクリードアウト領域用のデータを保持する。
【００４１】
リードイン領域におけるＱサブチャネルデータコンテンツは、ディスクの他の場所のデータとは異なる。モード１において、リードインデータには、ディスク用の目次表（ＴＯＣ）が含まれる。ＴＯＣには、とりわけ、オーディオトラック数および各トラックの開始時間を示すデータが記憶される。
【００４２】
ここで図１を参照すると、編集された（ＴＯＣ）を作成するための一連の動作のプロセスフロー図が示されている。
【００４３】
以後「主」トラックと呼ぶ、ＣＤの第１のトラックの各アレイが、ステップ１０１において、ＰＣのハードディスクに最初に作成される（assembled）。次に、以後「代替トラック」と呼ぶ、さらなるトラックセットが、ＰＣのハードディスクに、対応する順序で作成される（ステップ１０２）。次に、ＣＤ−Ｒディスクが、容易に利用可能なＣＤ−Ｒバーニングソフトウェアを用いて、ステップ１０３で焼かれるが、このソフトウェアは、当業者にはよく知られており、本発明の一部を形成するものではない。全ての主トラック（対応する第２のトラックを有していない可能性のある任意のものを含む）が、必要なプログラム順序で最初にディスクに記録されるように、トラックが、ＣＤ−Ｒバーニングソフトウェアによって作成されること、が重要であることに、ここで留意すべきである。次に、この完成した一連の主トラックに、適切な順序で、第２のトラックが続く。次に、ステップ１０４において、ＣＤ−ＲがＰＣに読み戻され、ステップ１０５において、ＴＯＣが解析される。次に、ＴＯＣがステップ１０６で編集され、次にこの編集されたＴＯＣを用い、ステップ１０７でマスタディスクイメージを作成する。
【００４４】
この一連の行動を取るのは、最初のＴＯＣデータは、選択したディスクバーニングソフトウェアによって、このバーニングソフトウェアがディスクに作成したトラックの状態と正確に一致するように作成されるためである。このデータはその後に編集される。しかしながら、全てのトラック、ディスクリードイン、トラック間のポーズ（pause）およびディスクリードアウトの正確な継続時間が知られていることを条件として、編集されたＴＯＣを直接に生成することが同様に可能であることに留意すべきである。
【００４５】
図２に、それぞれ約３０秒の継続時間の４つのオーディオトラックを含むサンプルディスク用の未編集ＴＯＣデータを示す。ポイントフィールドが、エントリ０におけるように、０ｘａ０に設定されたときには、そのエントリ０の分フィールドＰｍｉｎ２０１は、ディスクにおける第１のトラックの番号を示す。ポイントフィールドが、エントリ１におけるように、０ｘａ１に設定されたときには、エントリ１の分フィールドＰｍｉｎ２０２は、ディスクにおける最後のトラックの番号を示す。エントリ３、４、５および６は、各プログラムトラックに関連するデータを含み、そしてこの例では、各エントリのポイントフィールド２０３（０ｘｎｎ形態において、ｎｎは、１６進法フォーマットにおける関連するトラック番号である）は、トラック番号を示す。角括弧［］の、番号を付けられたエントリ（０、１、２、３４等）は、参照の利便のための単なるヘッディングであり、これらのヘッディングは、影響を及ぼすべきではないコメントとして、ＣＤバーニングソフトウェアによって扱われる。
【００４６】
図３に、本発明による第１の方法を、サンプルディスクに適用した結果としてもたらされる編集されたＴＯＣデータを示す。図２の実施形態において、サンプルディスクには４つのトラック、すなわち、それぞれ約３０秒の継続時間の２つの主トラックと、やはりそれぞれ約３０秒の継続時間の、代替トラックと呼ばれる２つのトラックとが含まれる。第１に、エントリ１の分フィールドＰｍｉｎにおいて３０１で示すように、ディスクのトラック数は、主トラックのみの数（すなわち、この場合には２）と一致するように修正される。第２に、対応する代替トラックがある各主トラック用のポイントフィールド３０２におけるデータが次に０（ゼロ）と読めるように変更され、次に、最後に、各対応する代替トラックのポイントフィールドにおけるデータが、関係する主トラックのトラック番号を有するように編集され、その結果、この例では、トラック３（エントリ５）用のポイントフィールド３０３が０ｘ０１に変更され、トラック４（エントリ６）用のポイントフィールド３０４が０ｘ０２に変更される。
【００４７】
図３に関連して説明したように編集されたＴＯＣは、図１に関連して上記で説明したように、光ディスクに書き戻してもよい。このような編集されたＴＯＣを含む光ディスクは、次のようにアクセス制御される。
【００４８】
図３に従って編集されたＴＯＣを備えたディスクにアクセスを試みるＣＤ−ＤＡは、ディスクには２つのトラックだけがあると知らされる。これは、ＣＤ−ＤＡプレーヤが、エントリ１のＰｍｉｎフィールド３０１における情報を用いて、ディスクのトラック数ｍを判定するからである。それで、最初のｍトラックが読み取られる。その結果、ｍ番目のトラックの後の任意のトラックは、ＣＤ−ＤＡプレーヤによって無視される。かくして、この例では、エントリ１のＰｍｉｎポイントを２に設定することによって、ＣＤ−ＤＡプレーヤは、主トラックの後の２つの「余分な」代替トラックを無視する。
【００４９】
これとは異なり、光ディスクデータ読取装置が、このように修正されたＴＯＣを備えたディスクにアクセスするときには、エントリ０のＰｍｉｎフィールド２０１における情報を用いて、ディスクの第１のトラックの番号を判定し、次に、同様にエントリ１のＰｍｉｎ３０１の情報を用いながら、番号を付けられたトラックエントリのＰＴｉｍｅフィールドのポイントフィールドで、その番号を捜して、関係あるトラックの、ディスク上の位置を判定する。かくして、光ディスクデータ読取装置は、いつも２つの代替トラックに導かれ、２つの主トラックの存在には気がつかない。
【００５０】
図３に関連して説明した方法は、主トラックと代替トラックの数が等しい（説明したような）場合だけでなく、一般に適用可能である。ある一定の実施形態において、たとえば、著作権保持者にとって、そのコピーが重大な関心とならない多数のトラックがあるときには、主トラックよりも少ない代替トラックを含むことが望ましい可能性がある。たとえば、ディスクには全部で１０トラックがあり、そのうち７つは主トラック、３つは代替トラックとしてもよい。つまり、主トラックのうち３つには対応する代替トラックがあり、主トラックのうち４つには対応する代替トラックがない。その場合には、ＣＤ−ＤＡは、７つの主トラックの位置を検出し、光ディスクデータ読取装置は、７つの主トラックのうち４つと３つの代替トラックの位置を検出する。
【００５１】
したがって、このようなディスクには、全部でｍ主トラック＋ｎ代替トラックがあるけれども、異なる装置（たとえば、ＣＤ−ＤＡプレーヤおよびＣＤ−ＲＯＭ装置）が両方とも、好適な実施形態において、同じ数のトラック（ＣＤ−ＤＡプレーヤの場合にはｍ主トラック、光ディスクデータ読取装置の場合には、（ｍ−ｎ）＋ｎ（＝ｍ）の主トラックおよび代替トラック）にアクセスする。
【００５２】
上記で説明した技術は、単一の装置（ＣＤ−ＤＡプレーヤまたはＣＤ−ＲＯＭ装置）でいつも使用されるよりも、全部で（ｍ＋ｎ）の、より多くのトラックがあることを必要とするが、特に、本発明の利点を考えれば、ディスク容量における実際の減縮は、重大な不利益とは思われない。実際に、ほとんどのオーディオＣＤは、その最大記憶容量（ＣＤ−ＤＡフォーマットにおいて、約７０〜８０分のオーディオデータに等しい）までは、けして用いていない。したがって、全ての主トラックが、ＣＤ−ＤＡフォーマットの代替トラック（多分、コピー防止の何らかの形態を備えている）を有し、かつ、これらの代替トラックが、それぞれ、その対応する主トラックと等しいかまたはほぼ等しい長さであっても、ディスクスペースは、通常、問題ではない。多くの場合、代替トラックは、実際上、主トラックよりもかなり短くてもよい（多分、対応する主トラックの抜粋を表すＣＤ−ＤＡオーディオかまたは上記で説明した口頭のコピー防止警告を含む）。さらに、説明した実施形態において、ＣＤ−ＤＡプレーヤではなく、光ディスクデータ読取装置だけによっていつもアクセスされる代替トラックは、ムービングピクチャーエキスパートグループ（ＭＰＥＧ）２／レベル３（ＭＰ３）、オッグボルビスTM（Ｏｇｇ  ＶｏｒｂｉｓTM）、ストリーミングオーディオ（たとえば、リアルオーディオTM（Ｒｅａｌ  ＡｕｄｉｏTM）もしくはウィンドウズ（登録商標）メディア（Ｗｉｎｄｏｗｓ（登録商標）  Ｍｅｄｉａ））、またはデータ読取装置で一般にアクセス可能な、何か他の形態のオーディオデータ圧縮方式などの公知のオーディオ圧縮技術を用いて、代替トラックのサイズを低減することができる。
【００５３】
代替トラックが、標準ＣＤ−ＤＡフォーマットオーディオデータ（圧縮オーディオではなく）を含む場合には、公知の技術を用いて第２のセッションにおいてディスクに記録可能な、追加の圧縮オーディオデータを含むのが望ましい。前述および以下の方法と組み合わせて、第２のセッションに記録された追加の圧縮オーディオファイルを用いることによって、コピー防止ＣＤオーディオトラックを圧縮オーディオファイルと組み合わせる公知の技術に勝る大幅な改善が提供される。ＣＤ−ＤＡプレーヤは、後者のタイプのディスクを再生しようと試みるときには、必然的に、処理されコピーを防止されたトラックを読み取らなければならない。今度はこれによって、上記で述べたいくつかの先行技術構成ではそうであるように、アーティファクトを再生する結果となるのも、もっともなことである。これとは異なり、本発明の実施形態により形成されたディスクを再生するＣＤ−ＤＡプレーヤは、処理された（主）トラックを再生する必要がなく、その結果、アーティファクトを再生する可能性は存在しない。しかしながら、光ディスクデータ読取装置が、本発明によるディスクを再生するときには、必要に応じて、第２のセッション記録された追加の圧縮オーディオファイルとともに、代替トラックに導かれる。代替トラックの音声メッセージは、データ読取装置ユーザがディスクコンテンツを聞きたい場合には、圧縮ファイルを再生するように、ユーザに指示する。所望の場合には、圧縮ファイル用のソフトウェアプレーヤを、圧縮ファイルとともにディスクにバンドルすることができ、そしてこのソフトウェアプレーヤは、ディスクがデータ読取装置に挿入されたときには、自動再生するように設定することができる。このようなディスクのコピーが作られた場合には、コピーされたディスクに現れる唯一のコンテンツは、代替トラック、および、ソフトウェアプレーヤが存在する場合にはそれをともなった代替圧縮ファイルなど、（用いられるコピーソフトウェアの特徴および設定に依存した）任意のデータコンテンツであろう。
【００５４】
図４に、本発明を具体化する第２の方法を、同じ未編集サンプルディスク（図２）に適用した場合に、その結果としてもたらされる編集されたＴＯＣデータを示す。第１に、ＴＯＣエントリの数は、ディスクの第２のトラック数だけ低減される。２つの第２のトラックを備えたこの例において、エントリの数（図４において、４０１で示される）は、７から５に低減される。第２に、ディスクのトラック数は、エントリ１の分フィールドＰｍｉｎ４０２で示すように、主トラックのみの数（すなわち２）と一致するように修正される。第３に、対応する代替トラックがある各主トラック用のエントリは、完全に削除され（この場合には、エントリ３および４）、最後に、各対応する代替トラックのポイントフィールドにおけるデータが、関係する主トラックのトラック番号を有するように次に編集され、その結果、この例では、トラック３用のポイントフィールド４０３（エントリ５）は、０ｘ０１に変更され、トラック４用のポイントフィールド４０４（エントリ６）は、０ｘ０２に変更される。この第２の方法の利点として、関係のある主トラックに関連したデータが、ＴＯＣから除去され、かくして、データ読取装置でこのような主トラックへアクセスしようと専念している者によって、容易に再生成されることはありえない。
【００５５】
ここで図５を参照すると、本発明の一実施形態による第３の方法が示されている。第１に、ディスクのトラック数が、エントリ１の分フィールドＰｍｉｎ５０１で示されているように、主トラックのみの数に、この場合には、２に一致するように修正される。第２に、対応する代替トラックがある各主トラック用のＰＴｉｍｅフィールドにおけるデータは、その対応する代替トラックの関係する開始時間を有するように変更され、その結果、この例では、トラック１（エントリ３）用のＰｍｉｎ、ＰｓｅｃおよびＰｆｒａｍｅｓフィールド５０２は、それぞれ、１、２および７１に変更され、一方で、トラック２（エントリ４）用のＰｍｉｎ、ＰｓｅｃおよびＰｆｒａｍｅｓフィールド５０３は、それぞれ、１、３３および３２に変更される。こうしたならば、エントリ５および６を削除する必要はないが、所望の場合には、削除してもよい。もちろん、これら２つのエントリを除去した場合には、その結果として、図４に関連して上記で説明した第２の方法に関して行ったように、ＴＯＣエントリの総数を訂正することが必要である。その第２の方法と同様に、この第３の方法の利点として、関係のある主トラックに関連したデータが、ＴＯＣから除去され、かくして、データ読取装置でこのような主トラックへアクセスしようと専念している者によって、容易に再生成されることはありえない。
【００５６】
本発明を具体化する第５の方法において、代替トラック用の完成したＴＯＣエントリが、主トラックのそれらと取り替えられ、そして、代替トラックが主トラックのトラック番号を有し、主トラックが代替トラックのトラック番号を有するように、トラック番号が交換される。ディスクのトラック数は、エントリ１の分フィールドＰｍｉｎにおいて示すように、主トラックのみの数と一致するように再び修正される。
【００５７】
上記で説明した方法は、代替トラックを暗号化すること、および／または代替トラックにアクセスするために、パスワードの入力を要求することにより、必要に応じて高度化してもよい。さらなる一実施形態において、代替トラックの１つは、別の代用ＴＯＣの暗号化されたバージョンとすることができ、この暗号化されたバージョンには、もしかすると料金の支払と引き換えに、復号鍵へのアクセスを与えられたユーザに対してのみ、アクセス可能とすることができる。次に、このような代用ＴＯＣへアクセスすることにより、データ読取装置は、主トラックの一部、いくらか多くまたは全てにアクセスすることが可能とされる。その場合には、光ディスクデータ読取装置が次にその（代用）ＴＯＣを代わりに使用できるように、暗号化された代用ＴＯＣを復号化し抽出するための、ディスクに記録された小さな追加データトラックが、通常必要である。代替トラックの１つとして代用ＴＯＣを含むのではなく、さらなる圧縮オーディオファイルの追加に関連して上記で説明したように、公知の技術を用い、代わりに第２のセッションにおいて代用ＴＯＣをディスクに書き込んでもよいことが理解されるであろう。必要に応じて、この代用ＴＯＣへのアクセスを可能とする任意の実行可能コードを、同様に、第２のセッションに記録されるデータファイルとして含んでもよい。
【００５８】
より大きな保証のために、当業者に公知の追加的な電子セキュリティ機能および高度化もまた、システムに組み込んでもよい。
【００５９】
説明した方法が、必ずしも、コピー防止またはデジタル権利管理技術を代替トラックへ適用することを必要とするのではないことが、理解されるであろう。本発明を具体化する方法は、「スタンドアロン」モードで（すなわち、単なるディスクアクセス制御手順として）動作でき、またはデジタルオーディオコピー防止の既存タイプへの拡張として組み込むことができる。代替トラックの数、長さおよび特質を変更することによって、多種多様な異なる応用例が思い描かれ、これらの中には、限定されたユーザグループにより適したものもあれば、また一般大衆に関しての使用により適したものもある。どのタイプのコピー防止方法を用いてよいのか、どの追加のセキュリティ機能を組み込んでよいのか、およびＣＤバーニングソフトウェアのどの手段を用いてよいのかという点には、依存していない。
【００６０】
本発明の好適な実施形態を本明細書において説明してきたが、本発明がこれらに限定されず、説明した実施形態の変更が、当業者には明らかとなるであろうことを理解すべきである。
【図面の簡単な説明】
【００６１】
【図１】本発明の一実施形態による、編集されたＴＯＣおよびアクセス制御されたディスクを作成するための一連の動作を示すプロセスフロー図である。
【図２】元の未修正ディスク用の目次表（ＴＯＣ）を示す。
【図３】本発明の第１の実施形態による、アクセス制御されたディスク用の編集された目次表（ＴＯＣ）を示す。
【図４】本発明の第２の実施形態による、アクセス制御されたディスク用の編集された目次表（ＴＯＣ）を示す。
【図５】本発明の第３の実施形態による、アクセス制御されたディスク用の編集された目次表（ＴＯＣ）を示す。
【国際調査報告】
2005532655.tif 000007
2005532655.tif 000008